(57)【要約】【課題】新規な構成のワンタッチクランプ装置を提案する。【解決手段】  第一突起部２１が突設される押圧片部１１と、第二突起部２２が突設されるベース部１２と、押圧片部１１とベース部１２を接続する第一接続部１４と、押圧片部１１に設けられ、チューブの左右の側面に対向してチューブの左右方向のずれを規制するためのチューブずれ防止部２３と、開放時においてチューブが挿通されるとともに、クランプする際には押圧片部１１を押圧し第一接続部１４を撓ませることで、第一突起部２１と第二突起部２２の間でチューブをクランプしてチューブの流路を閉塞するワンタッチクランプ装置１であって、チューブずれ防止部２３には対向する少なくとも二つの突出部２３ｂが設けられ、二つの突出部２３ｂは、開放時においてチューブの左右両側に配置され得る構成とする。【選択図】図１
2018202024.tif 000002
【特許請求の範囲】
【請求項１】
第一突起部が突設される押圧片部と、
第二突起部が突設されるベース部と、
押圧片部とベース部を接続する第一接続部と、
押圧片部に設けられ、チューブの左右の側面に対向してチューブの左右方向のずれを規制するためのチューブずれ防止部と、
開放時においてチューブが挿通されるとともに、クランプする際には押圧片部を押圧し第一接続部を撓ませることで、第一突起部と第二突起部の間でチューブをクランプしてチューブの流路を閉塞するワンタッチクランプ装置１であって、
チューブずれ防止部には対向する少なくとも二つの突出部が設けられ、二つの突出部は、開放時においてチューブの左右両側に配置され得る構成とする、
ワンタッチクランプ装置。
【請求項２】
チューブずれ防止部の突出部の先端部は、
第一突起部よりも押圧片部から遠い位置まで突出されている、
ことを特徴とする請求項１に記載のワンタッチクランプ装置。
【請求項３】
チューブずれ防止部の突出部の先端部は、
第二突起部のベース部から最も離れた突起端よりも、ベース部に近い位置まで突出されている、
ことを特徴とする請求項１に記載のワンタッチクランプ装置。
【請求項４】
突出部は、弧状の片形状にて構成され、ベース部の表面に沿ってスライドし得る構成とする、
ことを特徴とする請求項１乃至請求項３のいずれか一項に記載のワンタッチクランプ装置。
【請求項５】
チューブずれ防止部には、クランプ時において、第二突起部により左右方向の横ずれが規制される横ずれ規制部が設けられる構成とする、
ことを特徴とする請求項１乃至請求項４のいずれか一項に記載のワンタッチクランプ装置。
【請求項６】
横ずれ規制部は、二つの突出部がそれぞれ第二突起部の左右両側に配置されることで構成されている、
ことを特徴とする請求項５に記載のワンタッチクランプ装置。
【請求項７】
横ずれ規制部の二つの突出部は、ベース部の幅の範囲内に納められることとする、
ことを特徴とする請求項５又は請求項６のいずれか一項に記載のワンタッチクランプ装置。
【請求項８】
横ずれ規制部は、開放時においても、第二突起部の左右両側に配置されるように設けられることとする、
ことを特徴とする請求項５乃至請求項８のいずれか一項に記載のワンタッチクランプ装置。
【発明の詳細な説明】
【技術分野】
【０００１】
本発明は、ワンタッチ操作でチューブをクランプ（狭持）して、チューブ内の流体の流れを停止するためのいわゆるワンタッチクランプ装置に関するものである。
【背景技術】
【０００２】
従来、ワンタッチクランプ装置は、血液回路チューブや輸血チューブなどのチューブ内を流れる血液や、薬液などの流体を止めたり流したりする流体の開閉装置として用いられている。特に血液回路においては、このワンタッチクランプ装置が利用されるチューブ径は多種類であるため、特にチューブが細い場合ではワンタッチクランプ装置上でチューブが横ずれするなどといった問題があった。
【０００３】
このような、チューブの横ずれの対策を図る構成として、例えば、特許文献１においては、押さえ部の先端側を二股（二又形状部）とし、この二股形状部の間にチューブを収容することでチューブの横ずれを規制する構成が開示されている。
【先行技術文献】
【特許文献】
【０００４】
【特許文献１】特許第４９２２２４６号明細書
【発明の概要】
【発明が解決しようとする課題】
【０００５】
特許文献１に開示されるような二股（二又形状部）の場合、当該二股の間にチューブが納まった状態であればチューブの横ずれは防止することができる。しかしながら、クランプ操作がされる前の状態において、チューブが二股の間に収められずに、二股の先端部の下方に配置されてしまうと、当該先端部によってチューブを突き刺してしまうことが懸念される。
【０００６】
そこで、本発明は、以上問題に鑑み、新規な構成のワンタッチクランプ装置を提案するものである。
【課題を解決するための手段】
【０００７】
本発明の解決しようとする課題は以上の如くであり、次にこの課題を解決するための手段を説明する。
【０００８】
即ち、
第一突起部２１が突設される押圧片部１１と、
第二突起部２２が突設されるベース部１２と、
押圧片部１１とベース部１２を接続する第一接続部１４と、
押圧片部１１に設けられ、チューブの左右の側面に対向してチューブの左右方向のずれを規制するためのチューブずれ防止部２３と、
開放時においてチューブが挿通されるとともに、クランプする際には押圧片部１１を押圧し第一接続部１４を撓ませることで、第一突起部２１と第二突起部２２の間でチューブをクランプしてチューブの流路を閉塞するワンタッチクランプ装置１であって、
チューブずれ防止部２３には対向する少なくとも二つの突出部２３ｂが設けられ、二つの突出部２３ｂは、開放時においてチューブの左右両側に配置され得る構成とする、
ワンタッチクランプ装置とする。
【０００９】
また、好ましくは、
チューブずれ防止部２３の突出部２３ｂの先端部２３ｘは、
第一突起部２１よりも押圧片部１１から遠い位置まで突出されている、こととする。
【００１０】
また、好ましくは、
チューブずれ防止部２３の突出部２３ｂの先端部２３ｘは、
第二突起部２２のベース部１２から最も離れた突起端２２ａよりも、ベース部１２に近い位置まで突出されている、こととする。
【００１１】
また、好ましくは、
突出部２３ｂは、弧状の片形状にて構成され、ベース部１２の表面１２ｆに沿ってスライドし得る構成とする、こととする。
【００１２】
また、好ましくは、
チューブずれ防止部２３には、クランプ時において、第二突起部２２により左右方向の横ずれが規制される横ずれ規制部が設けられる構成とする、こととする。
【００１３】
また、好ましくは、
横ずれ規制部は、二つの突出部２３ｂがそれぞれ第二突起部２２の左右両側に配置されることで構成されている、こととする。
【００１４】
また、好ましくは、
チューブずれ防止部２３の二つの突出部２３ｂは、ベース部１２の幅１２ｗの範囲内に納められることとする。
【００１５】
また、好ましくは、
横ずれ規制部は、開放時においても、第二突起部２２の左右両側に配置されるように設けられることとする。
【発明の効果】
【００１６】
本発明の効果として、以下に示すような効果を奏する。
【００１７】
即ち、本願発明の構成によれば、突出部２３ｂによるチューブの突き刺しを確実に防止することができる。
【００１８】
また、二つの突出部２３ｂを開放時においてチューブの左右両側に配置され得る構成が実現できる。
【００１９】
また、仮に、突出部２３ｂがチューブに突き当たった場合には、突出部２３ｂが柔軟に撓むことによってチューブから逸れるようにチューブの側方に移動し、突出部２３ｂの間にチューブを配置することができ、突出部２３ｂによる突き刺し防止を図ることができる。また、ベース部１２の表面１２ｆに突き当たっても、ベース部１２に沿うように柔軟に撓むことで、押圧片部１１の押圧によるクランプ操作をスムーズに行える。
【００２０】
また、チューブずれ防止部２３の横ずれが横ずれ規制部によって防止され、これにより、押圧片部１１の係止窪み部２３ａがフック部１３の係止突起部１３ａから横にずれて外れてしまうことが防止され、クランプ状態が確実に維持される。
【００２１】
また、突出部２３ｂがワンタッチクランプ装置１の外側に突出することがなく、突出した先端部２３ｘが引っかかるなどの問題を未然に防ぐことができる。
【００２２】
また、開放時において横ずれ規制部（突出部２３ｂ）が第二突起部２２の左右の両側に配置されることになり、開放時においても、チューブずれ防止部２３が横にずれることなく規定の位置に配置することができ、突出部２３ｂによるチューブの突き刺しをより確実に防止することが可能となる。
【図面の簡単な説明】
【００２３】
【図１】ワンタッチクランプ装置の側面図。
【図２】（Ａ）ワンタッチクランプ装置の斜視図。（Ｂ）ワンタッチクランプ装置の斜視図。
【図３】チューブずれ防止部の間にチューブが納められる様子について示す図。
【図４】（Ａ）チューブを挿入した状態について示す図。（Ｂ）はクランプした状態について示す図。
【発明を実施するための形態】
【００２４】
以下、本発明について図面を用いて具体的に説明するが、本発明は、以下に説明する具体的事例に限定されるものではない。
図１、図２（Ａ）（Ｂ）は本発明のワンタッチクランプ装置を示すものであり、以下の説明では、便宜のため図１において紙面左側を後端、右側を前端、上側を上、下側を下とし、さらに、紙面と直交する方向を左右方向として位置関係を表すものとする。
【００２５】
本発明のワンタッチクランプ装置は、押圧片部１１と、ベース部１２と、フック部１３と、周方向に順に有し、押圧片部１１とベース部１２の間が第一接続部１４で接続され、ベース部１２とフック部１３の間が第二接続部１５で接続される。
【００２６】
押圧片部１１の上面側には突条にて構成される複数の滑り止め２７が形成され、滑り止め２７を指の腹で押し込むことにより第一接続部１４が撓んで、押圧片部１１の前端部２５を下側に押し下げることができる。
【００２７】
押圧片部１１の下面側には第一突起部２１が突設されており、本実施例では、側面視略Ｖ字に構成され、その下端部に突起端２１ａが形成される。
【００２８】
押圧片部１１の下面側において、第一突起部２１の前側の位置には、チューブのずれを防止するためのチューブずれ防止部２３が設けられる。チューブずれ防止部２３はチューブの周面に対向する二つの側壁部２３ｃ，２３ｃと、各側壁部２３ｃ，２３ｃより突出する突出部２３ｂ，２３ｂを有する。
【００２９】
本実施例では、二つの側壁部２３ｃ，２３ｃは横幅Ｗ１の広い帯形状とし、その下端部から後ろ側に向かってなだらかに湾曲する円弧状の突出部２３ｂ，２３ｂが突設される。突出部２３ｂの横幅Ｗ２は、側壁部２３ｃの横幅Ｗ１よりも狭く構成されている。突出部２３ｂの先端形状は丸みを帯びており、これにより、チューブの突き刺しを防止することができるようになっている。
【００３０】
また、側壁部２３ｃと押圧片部１１の連結部位２３ｄの幅は、側壁部２３ｃの横幅Ｗ１よりも狭く構成され、これにより、側壁部２３ｃの上端部に、側面視略Ｕ字状の係止窪み部２３ａが形成される。なお、連結部位２３ｄの幅は充分に確保され、チューブずれ防止部２３が連結部位２３ｄにおいて折れないように構成される。
【００３１】
フック部１３の後端側には、チューブずれ防止部２３に形成された係止窪み部２３ａに入り込んで係止するための係止突起部１３ａが形成される。クランプ時には、係止窪み部２３ａと係止突起部１３ａを係合させることで、クランプ状態が維持される。
【００３２】
フック部１３の前端側には、フック部１３を前側に押し倒して係止突起部１３ａを上方向に傾けるための解除押圧部１３ｂが形成される。これにより、クランプ状態において、解除押圧部１３ｂを押し下げると、係止窪み部２３ａと係止突起部１３ａの係合が解除され、クランプ状態が解除される。
【００３３】
ベース部１２には、押圧片部１１の第一突起部２１に対向する第二突起部２２が突設されており、本実施例では、側面視略逆Ｖ字に構成され、その上端部に突起端２２ａが形成される。
【００３４】
図３に示すように、第二突起部２２の幅２２ｗは、チューブずれ防止部の突出部２３ｂ，２３ｂの間の幅２３ｗよりも狭く構成され、詳しくは後述するように、クランプ時において、第二突起部２２の両側に突出部２３ｂ，２３ｂが配置される。これにより、突出部２３ｂ，２３ｂの横方向Ｗの移動が第二突起部２２によって規制される。
【００３５】
また、図１に示すように、本実施例では、突出部２３ｂの先端部２３ｘは、クランプをしない開放時においても第二突起部２２の両側に位置するように延出しており、これにより、突出部２３ｂ自体の横ずれが第二突起部２２によって防止することができるようになっている。また、側面視において、第二突起部２２と突出部２３ｂの間に隙間が生じないため、実質的に、突出部２３ｂによるチューブ２の突き刺しが生じ得ない構成が実現される。
【００３６】
なお、第二突起部２２の両側方に図示せぬガイド壁を設け、このガイド壁と第二突起部２２の間に溝状のレールを形成し、突出部２３ｂ、さらには、側壁部２３ｃをスライドして挿入させることととしてもよい。これにより、詳しくは後述するように、第二突起部２２によるチューブずれ防止部２３の横ずれの規制に加え、溝状のレールによっても横ずれを防止することができる。
【００３７】
また、第二突起部２２の前側の壁面に、突出部２３ｂを進入させる切り欠きを設け、第二突起部２２の内側の空間をポケット空間として機能させる構成としてもよい。これによれば、突出部２３ｂの先端が他の部位と引っかかることを効果的に防止することができる。
【００３８】
また、図１、図２（Ａ）（Ｂ）に示すように、第一接続部１４にはチューブ挿入孔１４ａが形成され、第二接続部１５にはチューブ挿入孔１５ａが形成され、両チューブ挿入孔１４ａ，１５ａが対向して配置され、図示せぬチューブを両チューブ挿入孔１４ａ，１５ａを真っ直ぐに貫通させて通すことができるようになっている。
【００３９】
なお、第二接続部１５において、チューブずれ防止部２３の突出部２３ｂを挟んで第二突起部２２と反対側に、図示せぬストッパー部を設け、このストッパー部が突出部２３ｂの前側に配置されるようにすることで、チューブずれ防止部２３が逆側にスライドしないようにしてもよい。つまり、チューブずれ防止部２３の突出部２３ｂが第二突起部２２側にのみスライドする構成とするものである。
【００４０】
また、チューブ挿入孔１５ａは、ワンタッチクランプ装置１を樹脂成形品とする場合において、チューブずれ防止部２３を成形するための型を抜くための穴としても用いられることが想定される。
【００４１】
次に、以上のように構成したワンタッチクランプ装置１の使用方法について説明する。
まず、図４（Ａ）に示すように、チューブ２をワンタッチクランプ装置１の挿入孔１４ａ，１５ａに挿通させる。この状態では、チューブずれ防止部２３の突出部２３ｂの間にチューブ２が配置された状態となる。また、チューブ２の上下にそれぞれ第一突起部２１、第二突起部２２が位置した状態となる。
【００４２】
そして、押圧片部１１を押圧すると、チューブ２に対し上側から第一突起部２１の突起端２１ａが押し込まれ、下側から第二突起部２２の突起端２２ａが押し込まれ、図４（Ｂ）に示すように、チューブ２が挟まれて流路（管路）が閉塞される、即ち、クランプ状態となる。
【００４３】
この際、押圧片部１１の係止窪み部２３ａに、フック部１３の係止突起部１３ａが入り込むようにして係止することで、クランプ状態が維持される。
【００４４】
また、クランプ状態になる過程において、チューブずれ防止部２３の突出部２３ｂがスライドするように第二突起部２２の側方の位置に移動する。なお、このスライドの際には、突出部２３ｂが弧状の片形状にて構成されているため、ベース部１２の表面１２ｆに突出部２３ｂが接触するような場合でも、スムーズに突出部２３ｂをスライドさせることができる。また、突出部２３ｂの幅２３ｗが狭く構成されることで、側壁部２３ｃとの境界部がヒンジとして機能して突出部２３ｂが曲がり易くなり、スムーズに突出部２３ｂをスライドさせることができる。
【００４５】
そして、クランプ状態では、チューブずれ防止部２３の二つの突出部２３ｂの間に第二突起部２２が配置されることで、チューブずれ防止部２３の横ずれが第二突起部２２によって防止され、これにより、押圧片部１１の係止窪み部２３ａがフック部１３の係止突起部１３ａから横にずれて外れてしまうことが防止され、クランプ状態が確実に維持される。
【００４６】
また、このクランプ状態では、チューブ２の両側にチューブずれ防止部２３の側壁部２３ｃが存在することにより、チューブ２の横ずれの発生が防止され、チューブ２の流路（管路）を閉塞した状態が確実に維持される。
【００４７】
図４（Ｂ）の状態において、クランプ状態を解除するには、解除押圧部１３ｂを押し下げることで係止突起部１３ａを上方向に傾けることで、係止窪み部２３ａと係止突起部１３ａの係止状態が解除される。この際、撓んでいた第一接続部１４が弾性復帰する力、及び、チューブ２が弾性復帰して第一突起部２１，第二突起部２２を押しのける力により、押圧片部１１とベース部１２が互いに離れるようにして、確実に図４（Ａ）の状態に復帰させることができ、流路（管路）を確実に開通させることができる。
【００４８】
以上の構成において、本願発明は以下の特徴的な構成を有する。
即ち、図１乃至図４に示すように、
第一突起部２１が突設される押圧片部１１と、
第二突起部２２が突設されるベース部１２と、
押圧片部１１とベース部１２を接続する第一接続部１４と、
押圧片部１１に設けられ、チューブの左右の側面に対向してチューブの左右方向のずれを規制するためのチューブずれ防止部２３と、
開放時においてチューブが挿通されるとともに、クランプする際には押圧片部１１を押圧し第一接続部１４を撓ませることで、第一突起部２１と第二突起部２２の間でチューブをクランプしてチューブの流路を閉塞するワンタッチクランプ装置１であって、
チューブずれ防止部２３には対向する少なくとも二つの突出部２３ｂが設けられ、二つの突出部２３ｂは、開放時においてチューブの左右両側に配置され得る構成とする。
【００４９】
これにより、突出部２３ｂによるチューブの突き刺しを確実に防止することができる。
【００５０】
また、図１に示すように、
チューブずれ防止部２３の突出部２３ｂの先端部２３ｘは、
第一突起部２１よりも押圧片部１１から遠い位置まで突出されている、こととする。
【００５１】
このような構成により、二つの突出部２３ｂを開放時においてチューブの左右両側に配置され得る構成が実現できる。
【００５２】
また、図１に示すように、
チューブずれ防止部２３の突出部２３ｂの先端部２３ｘは、
第二突起部２２のベース部１２から最も離れた突起端２２ａよりも、ベース部１２に近い位置まで突出されている、こととする。
【００５３】
このような構成により、二つの突出部２３ｂを開放時においてチューブの左右両側に配置され得る構成が実現できる。
【００５４】
また、突出部２３ｂは、弧状の片形状にて構成され、ベース部１２の表面１２ｆに沿ってスライドし得る構成とする。
【００５５】
これにより、仮に、突出部２３ｂがチューブに突き当たった場合には、突出部２３ｂが柔軟に撓むことによってチューブから逸れるようにチューブの側方に移動し、突出部２３ｂの間にチューブを配置することができ、突出部２３ｂによる突き刺し防止を図ることができる。また、ベース部１２の表面１２ｆに突き当たっても、ベース部１２に沿うように柔軟に撓むことで、押圧片部１１の押圧によるクランプ操作をスムーズに行える。
【００５６】
また、チューブずれ防止部２３には、クランプ時において、第二突起部２２により左右方向の横ずれが規制される横ずれ規制部が設けられる構成とする。
【００５７】
上記実施例では、横ずれ規制部は、二つの突出部２３ｂがそれぞれ第二突起部２２の左右両側に配置されることで構成されている。なお、この実施例の他、例えば、第二突起部２２の前側の傾斜面に突出部２３ｂを挿入するための切り欠き部を設け、この切り欠き部に突出部２３ｂを挿入することで、横ずれが規制される構成としてもよい。
【００５８】
このようにして、チューブずれ防止部２３の横ずれが横ずれ規制部によって防止され、これにより、押圧片部１１の係止窪み部２３ａがフック部１３の係止突起部１３ａから横にずれて外れてしまうことが防止され、クランプ状態が確実に維持される。
【００５９】
また、図３に示すように、チューブずれ防止部２３の二つの突出部２３ｂは、ベース部１２の幅１２ｗの範囲内に納められることとする。
【００６０】
これにより、突出部２３ｂがワンタッチクランプ装置１の外側に突出することがなく、突出した先端部２３ｘが引っかかるなどの問題を未然に防ぐことができる。
【００６１】
さらに好ましくは、横ずれ規制部（突出部２３ｂ）は、開放時においても、第二突起部２２の左右両側に配置されるように設けられることとする。
換言すれば、先端部２３ｘが開放時においても、第二突起部２２を超える位置まで延出されていることとするものである。
【００６２】
このような構成によれば、開放時において横ずれ規制部（突出部２３ｂ）が第二突起部２２の左右の両側に配置されることになり、開放時においても、チューブずれ防止部２３が横にずれることなく規定の位置に配置することができ、突出部２３ｂによるチューブの突き刺しをより確実に防止することが可能となる。  
【００６３】
なお、図１に示すように、側面視において、第二突起部２２と突出部２３ｂの間に隙間が生じないため、実質的に、突出部２３ｂによるチューブ２の突き刺しが生じ得ない構成が実現される。
【産業上の利用可能性】
【００６４】
本発明のワンタッチクランプ装置は、血液回路チューブや輸血チューブなどのチューブ内を流れる血液や、薬液などの流体を止めたり流したりする流体の開閉装置として広く医療分野において用いられ、特に血液回路チューブや輸血チューブの分野に好都合に使用される。また、ワンタッチクランプ装置は樹脂成形により製造することができる。
【符号の説明】
【００６５】
１    ワンタッチクランプ装置
２    チューブ
１１    押圧片部
１２    ベース部
１３    フック部
１３ａ    係止突起部
１３ｂ    解除押圧部
１４    第一接続部
１４ａ    チューブ挿入孔
１５    第二接続部
１５ａ    チューブ挿入孔
２１    第一突起部
２１ａ    突起端
２２    第二突起部
２２ａ    突起端
２３    チューブずれ防止部
２３ａ    係止窪み部
２３ｂ    突出部
２３ｃ    側壁部
２３ｘ    先端部
２７    滑り止め
【図１】
2018202024.tif 000003
【図２】
2018202024.tif 000004
【図３】
2018202024.tif 000005
【図４】
2018202024.tif 000006
【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
第一突起部が突設される押圧片部と、
第二突起部が突設されるベース部と、
押圧片部とベース部を接続する第一接続部と、
押圧片部に設けられ、チューブの左右の側面に対向してチューブの左右方向のずれを規制するためのチューブずれ防止部と、
開放時においてチューブが挿通されるとともに、クランプする際には押圧片部を押圧し第一接続部を撓ませることで、第一突起部と第二突起部の間でチューブをクランプしてチューブの流路を閉塞するワンタッチクランプ装置であって、
チューブずれ防止部には対向する少なくとも二つの突出部が設けられ、二つの突出部は、開放時においてチューブの左右両側に配置され得る構成であり、
前記チューブずれ防止部の突出部の先端部は、
第一突起部よりも押圧片部から遠い位置まで突出されており、
前記チューブずれ防止部の突出部の先端部は、
第二突起部のベース部から最も離れた突起端よりも、ベース部に近い位置まで突出されている、
ワンタッチクランプ装置。
【請求項２】
前記突出部は、弧状の片形状にて構成され、ベース部の表面に沿ってスライドし得る構成とする、
ことを特徴とする請求項１に記載のワンタッチクランプ装置。
【請求項３】
前記チューブずれ防止部には、クランプ時において、第二突起部により左右方向の横ずれが規制される横ずれ規制部が設けられる構成とする、
ことを特徴とする請求項１又は請求項２のいずれか一項に記載のワンタッチクランプ装置。
【請求項４】
前記横ずれ規制部は、二つの突出部がそれぞれ第二突起部の左右両側に配置されることで構成されている、
ことを特徴とする請求項３に記載のワンタッチクランプ装置。
【請求項５】
前記横ずれ規制部の二つの突出部は、ベース部の幅の範囲内に納められることとする、
ことを特徴とする請求項３又は請求項４に記載のワンタッチクランプ装置。
【請求項６】
前記横ずれ規制部は、開放時においても、第二突起部の左右両側に配置されるように設けられることとする、
ことを特徴とする請求項３乃至請求項５のいずれか一項に記載のワンタッチクランプ装置。
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
第一突起部が突設される押圧片部と、
第二突起部が突設されるベース部と、
押圧片部とベース部を接続する第一接続部と、
押圧片部に設けられ、チューブの左右の側面に対向してチューブの左右方向のずれを規制するためのチューブずれ防止部と、
開放時においてチューブが挿通されるとともに、クランプする際には押圧片部を押圧し第一接続部を撓ませることで、第一突起部と第二突起部の間でチューブをクランプしてチューブの流路を閉塞するワンタッチクランプ装置であって、
チューブずれ防止部には対向する少なくとも二つの突出部が設けられ、二つの突出部は、開放時においてチューブの左右両側に配置され得る構成であり、
前記チューブずれ防止部の突出部の先端部は、
第一突起部よりも押圧片部から遠い位置まで突出されており、
前記チューブずれ防止部の突出部の先端部は、
第二突起部のベース部から最も離れた突起端よりも、ベース部に近い位置まで突出されており、
前記突出部は、弧状の片形状にて構成され、ベース部の表面に沿ってスライドし得る構成とする、
ワンタッチクランプ装置。
【請求項２】
前記チューブずれ防止部には、クランプ時において、第二突起部により左右方向の横ずれが規制される横ずれ規制部が設けられる構成とする、
ことを特徴とする請求項１に記載のワンタッチクランプ装置。
【請求項３】
前記横ずれ規制部は、二つの突出部がそれぞれ第二突起部の左右両側に配置されることで構成されている、
ことを特徴とする請求項２に記載のワンタッチクランプ装置。
【請求項４】
前記横ずれ規制部の二つの突出部は、ベース部の幅の範囲内に納められることとする、
ことを特徴とする請求項２又は請求項３に記載のワンタッチクランプ装置。
【請求項５】
前記横ずれ規制部は、開放時においても、第二突起部の左右両側に配置されるように設けられることとする、
ことを特徴とする請求項２乃至請求項４のいずれか一項に記載のワンタッチクランプ装置。